(57)【要約】【課題】ＩＣカードリーダの接続再設定作業が不要で保安上の問題も良好な情報機器を提供する。【解決手段】情報機器１には、接触型ＩＣカード６を読み書きするＩＣカードリーダ３を保持するアダプタ４を内蔵したＩＣカードリーダ内蔵機構が本体の内部に設けられており、本体の側面には、アダプタ４に保持されたＩＣカードリーダ３にＩＣカード６を挿入するためのスリットが形成されており、アダプタ４には、ＩＣカード６の挿入に応じて点灯状態が変化するようにＩＣカードリーダ３に設けられたランプから照射される光を本体の側面に導くチューブ８・８Ａが設けられている。【選択図】図６
2011165098.tif 000002
【特許請求の範囲】
【請求項１】
接触型ＩＣカードを読み書きするＩＣカードリーダを保持するアダプタを内蔵したＩＣカードリーダ内蔵機構が本体の内部に設けられており、
前記アダプタは、前記ＩＣカードリーダの前記ＩＣカードを挿入する端面が、前記本体の側面に対向するように、前記ＩＣカードの挿入方向に沿って前記ＩＣカードリーダを位置決めする位置決め手段を有しており、
前記位置決め手段は、前記ＩＣカードリーダを前記挿入方向に沿って位置決めする第１ストッパと、
前記ＩＣカードとは厚さの異なる他のＩＣカードを前記挿入方向に沿って位置決めする第２ストッパとを有していることを特徴とする情報機器。
【請求項２】
前記本体の側面には、前記アダプタに保持されたＩＣカードリーダに前記ＩＣカードを挿入するためのスリットが形成されており、
前記アダプタには、前記ＩＣカードの挿入に応じて点灯状態が変化するように前記ＩＣカードリーダに設けられたランプから照射される光を前記本体の側面に導くチューブが設けられている請求項１記載の情報機器。
【請求項３】
前記ＩＣカードリーダと、前記アダプタと、前記ＩＣカードリーダを前記情報機器に電気的に接続するためのケーブルとを収容する凹部が形成されている請求項１記載の情報機器。
【請求項４】
前記アダプタは、複数のタイプのＩＣカードリーダを保持可能に構成されている請求項１記載の情報機器。
【請求項５】
前記本体は、入力手段が設けられた第１筐体と、前記第１筐体に対して回動可能に接続されて表示手段が設けられた第２筐体とを有し、
前記ＩＣカードリーダ内蔵機構は、前記第１筐体の裏面側に設けられている請求項１記載の情報機器。
【請求項６】
前記アダプタによって保持されるＩＣカードリーダは、前記情報機器を使用する個人を認証するために前記ＩＣカードを読み書きする請求項１記載の情報機器。
【発明の詳細な説明】
【技術分野】
【０００１】
本発明は、接触型ＩＣカードを読み書きするＩＣカードリーダを保持するアダプタを備えた情報機器に関する。
【背景技術】
【０００２】
パソコンを始めとする情報機器には、接触型ＩＣカードを読み書きするＩＣカードリーダを接続することができる。このようなＩＣカードリーダは、使用するＩＣカードの種類やシステムの仕様により、タイプが異なっており、パソコンの外部にＵＳＢケーブル等を介して接続されている。
【０００３】
企業における会議においてプレゼンテーションのために使用されるパソコンは、例えば、公衆電話のように、特定の個人によって使用されるというよりは、複数の個人によって使用される場合が多く、ＩＣカードによって複数の個人を認証するＩＣカードリーダがパソコンに接続されている場合が多い。
【０００４】
このように構成されたシステムでは、パソコン等の機器を移動するときは、ＩＣカードリーダをパソコンから外し、パソコン等の機器を再び設置した後、再びＩＣカードリーダをパソコンに接続し、改めて設定を行う必要がある。
【０００５】
このようなＩＣカードリーダとしては、複数枚のＩＣカードに対して差し替えを行うことなくデータの読み取り又は書き込みの少なくともいずれかを行うことができるとともに、外形が大きくならないＩＣカードリーダが提案されている（特許文献１）。
【先行技術文献】
【特許文献】
【０００６】
【特許文献１】特開２００１−３５１０７１号公報（２００１年１２月２１日公開）
【発明の概要】
【発明が解決しようとする課題】
【０００７】
しかしながら、上記したパソコンの外部にＩＣカードリーダを接続する構成では、外部接続であるため、ＩＣカードリーダをパソコンに接続する作業が煩雑であり、ＩＣカードリーダの盗難等の課題も生じる。また、パソコン等の機器を移動するためにＩＣカードリーダをパソコンから外し、パソコン等の機器を再び設置するときは、設定を再度実施する必要があり煩雑であるという問題が生じる。
【０００８】
特に、企業の会議でプレゼンテーションに使用されるため、特定の個人によって使用されるというよりは、複数の個人によって使用される場合が多いパソコンでは、盗難等の保安上の問題、及び設定を再度実施する必要があり煩雑であるという問題は深刻になる。
【０００９】
本発明の目的は、ＩＣカードリーダの接続再設定作業が不要で保安上の問題も良好な情報機器を提供することにある。
【課題を解決するための手段】
【００１０】
本発明に係る情報機器は、接触型ＩＣカードを読み書きするＩＣカードリーダを保持するアダプタを内蔵したＩＣカードリーダ内蔵機構が本体の内部に設けられており、前記アダプタは、前記ＩＣカードリーダの前記ＩＣカードを挿入する端面が、前記本体の側面に対向するように、前記ＩＣカードの挿入方向に沿って前記ＩＣカードリーダを位置決めする位置決め手段を有しており、前記位置決め手段は、前記ＩＣカードリーダを前記挿入方向に沿って位置決めする第１ストッパと、前記ＩＣカードとは厚さの異なる他のＩＣカードを前記挿入方向に沿って位置決めする第２ストッパとを有していることを特徴とする。
【００１１】
この特徴により、接触型ＩＣカードを読み書きするＩＣカードリーダが、情報機器の本体の内部に設けられ、ＩＣカードリーダのＩＣカードを挿入する端面が、本体の側面に対向するように、ＩＣカードの挿入方向に沿ってＩＣカードリーダを位置決めする位置決め手段が設けられ、この位置決め手段は、ＩＣカードリーダを挿入方向に沿って位置決めする第１ストッパと、ＩＣカードとは厚さの異なる他のＩＣカードを挿入方向に沿って位置決めする第２ストッパとを有している。このため、ＩＣカードリーダが情報機器と一体化されるので、情報機器の外部にＩＣカードリーダを接続する従来の構成に比較して、ＩＣカードリーダが紛失する等の保安上の問題が解消し、情報機器使用後の後片付けの手間が低減され、情報機器のメンテナンス性も向上するという顕著な効果を奏する。
【００１２】
本発明に係る情報機器では、前記本体の側面には、前記アダプタに保持されたＩＣカードリーダに前記ＩＣカードを挿入するためのスリットが形成されており、前記アダプタには、前記ＩＣカードの挿入に応じて点灯状態が変化するように前記ＩＣカードリーダに設けられたランプから照射される光を前記本体の側面に導くチューブが設けられていることが好ましい。
【００１３】
上記構成によれば、情報機器の本体の内部のＩＣカードリーダに、ＩＣカードの挿入に応じて点灯状態が変化するように設けられたランプから照射される光を、情報機器の外部から認識することができる。
【００１４】
本発明に係る情報機器では、前記ＩＣカードリーダと、前記アダプタと、前記ＩＣカードリーダを前記情報機器に電気的に接続するためのケーブルとを収容する凹部が形成されていることが好ましい。
【００１５】
上記構成によれば、ＩＣカードリーダのケーブルも内部に収容できるので、情報機器のメンテナンス性がより一層向上する。
【００１６】
本発明に係る情報機器では、前記アダプタは、複数のタイプのＩＣカードリーダを保持可能に構成されていることが好ましい。
【００１７】
上記構成によれば、種々のＩＣカードに対応可能なＩＣカードリーダを内蔵した情報機器を得ることができる。
【００１８】
本発明に係る情報機器では、前記本体は、入力手段が設けられた第１筐体と、前記第１筐体に対して回動可能に接続されて表示手段が設けられた第２筐体とを有し、前記ＩＣカードリーダ内蔵機構は、前記第１筐体の裏面側に設けられていることが好ましい。
【００１９】
上記構成によれば、ノート型パーソナルコンピュータに適用することができる。
【００２０】
本発明に係る情報機器では、前記アダプタによって保持されるＩＣカードリーダは、前記情報機器を使用する個人を認証するために前記ＩＣカードを読み書きすることが好ましい。
【００２１】
上記構成によれば、ＩＣカードによる個人認証を行う情報機器に適用することができる。このような情報機器は、特定の個人が使用するものではないから、情報機器の外部にＩＣカードリーダを接続する従来の構成では、ＩＣカードリーダが紛失する等の保安上の問題が顕著であり、情報機器使用後の後片付けもおざなりになりがちであり、情報機器のメンテナンスも確実になされ難い。しかしながら、ＩＣカードリーダを本体内部に設ける本発明により、これらの問題も解決する。
【発明の効果】
【００２２】
本発明に係る情報機器は、接触型ＩＣカードを読み書きするＩＣカードリーダを保持するアダプタを内蔵したＩＣカードリーダ内蔵機構が本体の内部に設けられたので、ＩＣカードリーダの接続再設定作業が不要で保安上の問題も良好な情報機器を提供することができる。
【図面の簡単な説明】
【００２３】
【図１】実施の形態に係る情報機器の構造、および動作を説明するための図であり、（ａ）は収納状態を、（ｂ）は第１入力操作状態を、（ｃ）は第１入力操作状態から第２入力操作状態へ移行する状態を、（ｄ）は第２入力操作状態を、それぞれ示す図である。
【図２】上記第２入力操作状態における情報機器を裏面から見た斜視図である。
【図３】上記情報機器の裏面に設けられたＩＣカードリーダ内蔵機構を示す斜視図である。
【図４】上記ＩＣカードリーダ内蔵機構の拡大図である。
【図５】上記ＩＣカードリーダ内蔵機構に内蔵されるＩＣカードリーダ及びアダプタを説明するための模式図である。
【図６】上記ＩＣカードリーダ内蔵機構に内蔵されたＩＣカードリーダ及びアダプタを説明するための模式図である。
【図７】上記ＩＣカードリーダ内蔵機構に内蔵されたアダプタを説明するための斜視図である。
【図８】上記情報機器の側面に設けられたスリット及びラベルを示す斜視図である。
【図９】上記ＩＣカードリーダを保持するアダプタを示す斜視図である。
【図１０】図９のＢＢに沿った断面図である。
【図１１】上記ＩＣカードリーダとＩＣカードとを示す平面図である。
【図１２】上記ＩＣカードリーダに設けられたランプから照射された光をラベルに導くチューブを説明するための斜視図である。
【図１３】他のＩＣカードリーダを保持するアダプタを示す斜視図である。
【図１４】図１３のＣＣに沿った断面図である。
【発明を実施するための形態】
【００２４】
（実施の形態に係る情報機器の構成）
本発明の情報機器に関する実施形態について、図１〜図１４に基づいて説明すれば、以下のとおりである。図１は、実施の形態に係る情報機器１の構造、および動作を説明するための図であり、（ａ）は収納状態を、（ｂ）は第１入力操作状態を、（ｃ）は第１入力操作状態から第２入力操作状態へ移行する状態を、（ｄ）は第２入力操作状態を、それぞれ示す図である。
【００２５】
情報機器１は、キーボード１３とタッチパッド１６とが設けられて側面９を有する平板状の筐体１１と、筐体１１に対して、その一端が回動可能に連結された板状の連結部１８と、連結部１８の他端に回動可能に連結されて、連結部１８の反対側の表面にディスプレイ１４が設けられた平板状の筐体１２とを備えている。
【００２６】
連結部１８は、筐体１２と筐体１１とを連結し、筐体１１の一端の回りに回動して筐体１２を図１（ｃ）に示すように押し出し、さらに回動して図１（ｄ）に示すように、筐体１２をディスプレイ１４を上にして寝かせるように配置する。このように情報機器１は、図１（ｂ）に示すディスプレイ１４の位置で表示し、入力操作することもできるし、図１（ｄ）に示すディスプレイ１４の位置で表示し、入力操作することもできる。以下、図１（ｂ）に示す状態を第１入力操作状態といい、図１（ｄ）に示す状態を第２入力操作状態という。
【００２７】
（ＩＣカードリーダ内蔵機構の構成）
図２は第２入力操作状態における情報機器１を筐体１１の裏面１５から見た斜視図であり、図３は情報機器１の裏面１５に設けられたＩＣカードリーダ内蔵機構２を示す斜視図であり、図４は、このＩＣカードリーダ内蔵機構２の拡大図である。図５はＩＣカードリーダ内蔵機構に内蔵されるＩＣカードリーダ及びアダプタを説明するための模式図であり、図６はＩＣカードリーダ内蔵機構に内蔵されたＩＣカードリーダ及びアダプタを説明するための模式図である。図７は、ＩＣカードリーダ内蔵機構に内蔵されたアダプタ４を説明するための斜視図である。
【００２８】
情報機器１に設けられた筐体１１の裏面１５には、略直方体形状をした凹部が側面９に面して形成されており、この凹部にＩＣカードリーダ内蔵機構２が設けられる。この凹部の側面９側には、アダプタ４に保持されたＩＣカードリーダ３が、接触型ＩＣカード６の挿入口を側面９に対向させて配置されている。ＩＣカードリーダ３は、情報機器１と電気的に接続されるためのＵＳＢコネクタ１７を有しており、ＩＣカードリーダ３とＵＳＢコネクタ１７とは、所定の長さ等の仕様に従って製造されたケーブルによって接続されている。このケーブル及びＵＳＢコネクタ１７は、ＩＣカードリーダ３を保持するコネクタ４を収容した凹部の残りの空間に収容される。
【００２９】
図８は、情報機器１の側面９に設けられたスリット１０及びラベル１９を示す斜視図である。情報機器１の側面９のＩＣカードリーダ内蔵機構２が設けられた凹部に対応する位置には、ＩＣカードリーダ内蔵機構２に配置されたアダプタ４に保持されたＩＣカードリーダ３にＩＣカード６を挿入するためのスリット１０が横向きに形成されている。スリット１０の上側には、ＩＣカードリーダ３に設けられた後述するランプから照射される光を、側面９の外部から視認させるためのラベル１９が設けられている。
【００３０】
（アダプタの構成）
図９はＩＣカードリーダ３を保持するアダプタ４を示す斜視図であり、図１０は図９のＢＢに沿った断面図である。図１１はＩＣカードリーダ３とＩＣカード６とを示す平面図であり、図１２はＩＣカードリーダ３に設けられたランプ７Ａ・７Ｂから照射された光をラベル１９に導くチューブ８・８Ａを説明するための斜視図である。
【００３１】
アダプタ４は、ＩＣカードリーダ３を保持する。ＩＣカードリーダ３は、扁平な直方体形状をしており、その一つの側面には、ＩＣカード６を挿入するためのスリットが形成されている。ＩＣカードリーダ３は、スリットが形成された側面とは反対側の側面を先頭にしてアダプタ４に挿入され、アダプタ４の中央に形成されたストッパ部２０に、この反対側の側面が当接して挿入方向に位置決めされ、アダプタ４に保持される。
【００３２】
ＩＣカードリーダ３の上面のＩＣカード６の挿入側には、緑ＬＥＤランプ７Ａと赤ＬＥＤランプ７Ｂとが設けられている。緑ＬＥＤランプ７Ａと赤ＬＥＤランプ７Ｂとのそれぞれの上側には、緑ＬＥＤランプ７Ａと赤ＬＥＤランプ７Ｂとからそれぞれ照射された光をラベル１９に導くために形成された２本のチューブ８が設けられている。チューブ８Ａは、ＩＣカードリーダ３とは異なるタイプの後述するＩＣカードリーダ３Ａに設けられたランプから照射された光をラベル１９に導くために設けられている。
【００３３】
アダプタ４は、その側面から左右に突出して形成された二対のネジ穴部材を有しており、各ネジ穴部材には、アダプタ４を固定するためのネジが貫通するネジ穴が形成されている。ＩＣカードリーダ内蔵機構２を構成する凹部には、これらのネジ穴部材を支える面と、アダプタ４を納めるように構成された面とが形成されており、このネジ穴部材を支える面とネジ穴部材とをネジで固定する。このようにしてアダプタ４は凹部に固定されるので、ＩＣカード６をＩＣカードリーダ３に挿入してもＩＣカードリーダ３が動くことが防止される。
【００３４】
情報機器１の電源が投入されると、ＩＣカードリーダ内蔵機構に内蔵されたＩＣカードリーダ３は、自動的にＩＣカード６の挿入待ちになり、緑ＬＥＤランプ７Ａは、２秒間に約１回のゆっくりした間隔で点滅する。次に、パソコン（情報機器１）に格納されたアプリケーションソフトからの指示に従い、図１１に示すようにＩＣカード６の金属端子２２を上面にして、金属端子２２側から、筐体１１の側面９に形成されたスリット１０を通して、ＩＣカードリーダ３に形成されたＩＣカード挿入口へＩＣカード６を挿入し、奥まで差し込む。
【００３５】
そして、ＩＣカード６が挿入され、正しく認識されると緑ＬＥＤランプ７Ａは点灯状態になる。次に、アプリケーションソフトからＩＣカードへ読み書きすると、緑ＬＥＤランプ７Ａが１秒間に約５回の割合で速く点滅する。この間は絶対にＩＣカード６を抜き取ってはならない。ＩＣカード６のデータを破壊したり、ＩＣカード６が使用できなくなるおそれがあるからである。緑ＬＥＤランプ７Ａが点灯状態のときは、いつでもＩＣカード６を抜き取ることができる。通常、パソコンに接続したＩＣカードリーダ３が正しく動いており、正しいＩＣカード６が挿入されていれば赤ＬＥＤランプ７Ｂが点灯／点滅することは無い。赤ＬＥＤランプ７Ｂが点灯／点滅状態のときはＩＣカード６を抜き取ることができる。
【００３６】
図１３は他のＩＣカードリーダ３Ａを保持するアダプタ４を示す斜視図であり、図１４は図１３のＣＣに沿った断面図である。
【００３７】
アダプタ４は、ＩＣカードリーダ３Ａを保持する。ＩＣカードリーダ３Ａは、前述したＩＣカードリーダ３よりもさらに扁平で、ＩＣカードリーダ３よりも奥行きの長い直方体形状をしており、その一つの側面には、ＩＣカード６を挿入するためのスリットが形成されている。ＩＣカードリーダ３Ａは、スリットが形成された側面とは反対側の側面を先頭にしてアダプタ４に挿入され、アダプタ４の端部に形成されたストッパ部２１に反対側の側面が当接して挿入方向に位置決めされ、アダプタ４に保持される。薄型のＩＣカードリーダ３Ａとアダプタ４のストッパ部２０側との間の隙間には、図示しない緩衝材が設けられている。このような緩衝材が設けられていないと、ＩＣカードをＩＣカードリーダ３Ａに挿入するときに、ＩＣカードリーダ３Ａに対して上側に力が作用し、ストッパ部２０とＩＣカードリーダ３Ａとの接点を支点として上側に力が作用して、ＩＣカードリーダ３Ａが破損するおそれがあるが、緩衝材を設けると、この力を吸収するのでＩＣカードリーダ３Ａの破損を防止する。
【００３８】
ＩＣカードリーダ３Ａの上面にはＬＥＤランプが設けられている。このＬＥＤランプは、ＩＣカードリーダ３Ａのスリットが形成された側面とは反対側の側面側に設けられている。アダプタ４には、このＬＥＤランプから照射された光をラベル１９に導くチューブ８Ａが設けられている。このように、アダプタ４は、複数のタイプのＩＣカードリーダ３・３Ａを保持可能に構成されている。
【００３９】
（実施の形態の総括）
以上のように本実施の形態によれば、ＩＣカード６による認証機能付情報機器１（パソコン）において、複数種類のＩＣカードリーダ３・３Ａを内蔵可能な機構を設けている。筐体１１の内部に、独立したユニットであるＩＣカードリーダと接続用ケーブルの配置空間を形成し、さらにＵＳＢ端子を配置する。ＩＣカードリーダは、固定用のアダプタ４により、情報機器１の本体の側面９に形成したカード挿入口（スリット１０）に適合した位置に保持されている。固定用アダプタ４は、ストッパ部２０・２１を設けるように構成することにより、複数タイプのＩＣカードリーダに対応する汎用性を有している。
【００４０】
本実施の形態に係る情報機器によれば、ＩＣカードリーダの選択に汎用性を持たせたので、より多くのネットワーク認証システムに対応することができ、ＩＣカードリーダについて本体と一体化した機器配置が可能となる。また、情報機器の移動の際にも、ＩＣカードリーダと情報機器との接続状態を維持した移動が容易であり、設定条件を維持したままの移動が可能となる。
【００４１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４２】
本発明は、接触型ＩＣカードを読み書きするＩＣカードリーダを保持するアダプタを備えた情報機器に適用することができる。
【符号の説明】
【００４３】
１  情報機器
２  ＩＣカードリーダ内蔵機構
３  ＩＣカードリーダ
４  アダプタ
６  ＩＣカード
７Ａ、７Ｂ  ランプ
８  チューブ
９  側面
１０  スリット
１１、１２  筐体（第１筐体、第２筐体）
１３  キーボード（入力手段）
１４  ディスプレイ（表示手段）
１５  裏面
１６  タッチパッド
１７  ＵＳＢコネクタ
１８  連結部
１９  ラベル
２０、２１  ストッパ部（位置決め手段、第１ストッパ、第２ストッパ）
２２  金属端子
【図１】
2011165098.tif 000003
【図１０】
2011165098.tif 000004
【図１１】
2011165098.tif 000005
【図１４】
2011165098.tif 000006
【図２】
2011165098.tif 000007
【図３】
2011165098.tif 000008
【図４】
2011165098.tif 000009
【図５】
2011165098.tif 000010
【図６】
2011165098.tif 000011
【図７】
2011165098.tif 000012
【図８】
2011165098.tif 000013
【図９】
2011165098.tif 000014
【図１２】
2011165098.tif 000015
【図１３】
2011165098.tif 000016